(57)【特許請求の範囲】
【請求項１】
薬剤名、薬剤の外形写真、薬剤の服用方法、薬剤の効能、薬剤についての注意などの薬剤情報を表記した薬剤指導書において、前記薬剤指導書に日付毎の薬剤についての使用時期と使用量が記入された投薬カレンダーを表記した薬剤指導書であって、前記投薬カレンダーが投与薬剤毎の薬剤情報欄の下方に沿って所定単位の日付毎に横方向に時系列系に設けた服用時期の欄の下に前記薬剤情報欄に表示されている薬剤の１回の使用量が指示されて表記されているとともにこれらの投薬された複数種類の薬剤ごとに且つ日付の位置を縦方向に揃えてそれぞれ表記されていることを特徴とする薬剤指導書。
【請求項２】
薬剤指導書が貼着可能なラベルで形成されていることを特徴とする請求項１の薬剤指導書。
【請求項３】
薬剤指導書が薬袋で形成されていることを特徴とする請求項１又は請求項２記載の薬剤指導書。
【請求項４】
電子化された薬剤情報についての記憶装置と、前記薬剤情報を出力するためのカラー印刷機と、前記記憶装置に記憶させてある薬剤情報の内で出力を要するものを選択するための入力装置と、前記各装置を制御するための中央処理装置とを有し、前記入力装置からの指令に基づき前記記憶装置に記憶させてある薬剤などの情報の内、必要なものを印刷機により出力させる薬剤指導書の作成システムにおいて、前記入力装置からの指令に基づき出力される使用方法の情報に基づいて所定単位の日付毎に横方向に時系列系に設けた服用時期の欄の下に薬剤の１回の使用量が指示されて表記されているとともにこれらのを投薬された複数種類の薬剤ごとに且つ日付の位置を縦方向に揃えてそれぞれ表記されている投薬カレンダーを同時に印刷機により出力させることを特徴とする薬剤指導書の作成システム。
【発明の詳細な説明】
【０００１】
【発明の属する技術分野】
本発明は病院や薬局において処方箋に基づいて与えられる薬剤についての情報を患者に提供するための薬剤指導書およびその作成システムに関するものである。
【０００２】
【従来の技術】
近頃、病院や薬局において処方箋に基づいて患者に薬剤を提供する際に、薬剤についての名称、効能、効果、注意、副作用などについての情報を患者に知らせる服薬指導が行われており、前記服薬指導を明確且つ確実に行うために、薬剤名、薬剤の外形写真、薬剤の服用方法、薬剤の効能、薬剤についての注意などの薬剤情報を表記した薬剤指導書を配布したり、前記薬剤情報を薬袋に直接表示して、使用する薬剤についての情報を患者に正確に伝えるようにしている。
【０００３】
上記の薬剤指導書は、例えば特開平９−３０７７２２号公報に開示された薬剤情報提供システムによって迅速に出力される。片仮名表示が多く作用も専門的であるため一般人には理解し難い処方された薬剤情報を書類に表記して患者に手渡すことにより、薬剤情報を口頭で説明する場合に比べて正確に伝えることができる。また、特開平１１−２８８７８号公報に開示された薬剤指導書には、薬剤指導書の一部に更に複数種類の薬剤ごとに服用結果を記入するためのカレンダーを表記することが開示されており、これにより、患者の服用結果の記録を容易にし、医師がこの記録を見て爾後の確実な投薬指導が行えるようにしている。
【０００４】
従来、複数種類の薬剤が投与される場合は、患者が薬剤指導書の薬剤の服用方法を見て薬剤別に服用時期や服用量を判断して服用している。また、服用結果を記録する場合には、患者自身が薬剤指導書の記載から複数種類の薬剤の服用予定をたて、実行した服用結果をカレンダーに記録することになる。
【０００５】
【発明が解決しようとする課題】
従来の薬剤指導書は、患者に対して薬剤毎の用法指導を行ううえで、投薬する複数種類の全ての薬剤が同時期、同量、同間隔で使用するような単純な用法で足りる場合には問題はないが、薬剤毎に隔日投与や、漸減投与、漸増投与が行われるような複雑な用法の組合せになると、薬剤毎に用法、用量を正しく説明し、これを患者に確実に理解させることが困難であり、患者は理解が不充分のまま薬剤を受け取ることがある。
【０００６】
従って、薬剤指導書で薬剤毎に服用の正しい記載がなされていても、投与薬剤が複数種類で薬剤毎の用法用量が異って服用方法が複雑な組合せになると、患者自身が具体的に正しい服用予定がたてられずに、誤った服用がなされることがある。
【０００７】
本発明は、上記の問題に鑑みてなされたもので、投与薬剤が複数種類で各薬剤の用法が複雑な組合せになっても、誤用が防止できるようすることにある。
【０００８】
【課題を解決するための手段】
本発明は、薬剤名、薬剤の外形写真、薬剤の服用方法、薬剤の効能、薬剤についての注意などの薬剤情報を表記した薬剤指導書において、前記薬剤指導書に日付毎の薬剤についての使用時期と使用量が記入された投薬カレンダーを表記した薬剤指導書であって、前記投薬カレンダーが投与薬剤毎の薬剤情報欄の下方に沿って所定単位の日付毎に横方向に時系列系に設けた服用時期の欄の下に前記薬剤情報欄に表示されている薬剤の１回の使用量が指示されて表記されているとともにこれらの投薬された複数種類の薬剤ごとに且つ日付の位置を縦方向に揃えてそれぞれ表記されている患者自身が服用予定をたてる必要がなくなり、投与薬剤の誤用を避けることができるばかりか、複数種類の投薬がなされて複雑な組合せの服用方法になっても、患者が投薬カレンダーに記入された指示に従うことにより、日々使用する薬剤を誤りなく選択して服用することができる。
【０００９】
特に、前記投与薬剤毎に表記される各カレンダーが、日付の位置を縦方向に揃えてそれぞれ表記されていることにより複数の各薬剤の使用時期と使用量が一覧して判る患者個人の服用予定カレンダーにもなる。
【００１０】
薬剤指導書を貼着可能なラベルで形成して、薬袋に貼着するようにしてもよい。
【００１１】
薬剤指導書を薬袋で形成し、薬袋で代用してもよい。
【００１２】
更に、電子化された薬剤情報についての記憶装置と、前記薬剤情報を出力するためのカラー印刷機と、前記記憶装置に記憶させてある薬剤情報の内で出力を要するものを選択するための入力装置と、前記各装置を制御するための中央処理装置とを有し、前記入力装置からの指令に基づき前記記憶装置に記憶させてある薬剤などの情報の内、必要なものを印刷機により出力させる薬剤指導書の作成システムにおいて、前記入力装置からの指令に基づき出力される使用方法の情報に基づいて使用時期と使用量が記入された投薬カレンダーを同時に印刷機から出力させることにより、自動的に投薬カレンダーの作成をすることができる。
【００１３】
【発明の実施の形態】
以下、本発明の薬剤指導書およびその作成システムの好適な実施の形態を添付図面を参照しながら詳細に説明する。
【００１４】
図１は、本発明における薬剤指導書１の実施の形態の一例を示すものであり、薬剤指導書１は、所定の大きさ、例えばＢ５版程度の用紙２に、薬剤名３、薬剤の外形カラー写真４、薬剤の服用方法５、薬剤の効能６、薬剤についての注意７などの薬剤情報が複数の投与薬剤毎に表記されている。
【００１５】
また、薬剤指導書１には、薬剤の服用方法５の欄とは別に、投与薬剤毎の薬剤情報欄の下方に沿って、その薬剤の使用時期８ａと使用量８ｂが記入された２週間を単位とした投薬カレンダー８が表記されている。
【００１６】
即ち、投薬カレンダー８には、二週間を単位として日付毎に横方向に時系列的に設けた朝、昼、夕、寝前からなる服用時期８ａの欄の下に、薬剤の一回の使用量８ｂが記入され、服用時期８ａと使用量８ｂが具体的に決められて指示されている。、また、投与薬剤毎に表記される各投薬カレンダー８、８、８は、日付の位置を縦方向に揃えて表記されていて、複数の各薬剤の使用時期と使用量が一覧して判る患者個人の服用予定カレンダーにもなっている。
【００１７】
これにより、患者は各投薬カレンダー８、８、８を縦方向に一覧し表記の指示に従って写真の薬剤を選択して使用することにより、複数種類の投薬がなされて全体として複雑な服用方法であっても、日々の使用薬剤を誤り無く服用することができる。
【００１８】
また、服用結果を医師に報告する必要がある場合でも、患者自身が服用予定カレンダーを作成する必要がなく、服用した結果に基づいて投薬カレンダー８をチェックしていくだけで誤りのない服用記録が作成でき、これを提示すれば足りる。
【００１９】
また、薬剤指導書１は、図示した用紙２に限るものではなく、薬剤指導書１をタックラベルのような貼着可能なラベルで形成して、薬袋に貼着するようにしてもよく、また、薬剤指導書１を薬袋で形成して薬袋で代用してもよい（図示省略）。
【００２０】
図２は本発明である用紙２による薬剤指導書１や、ラベルによる薬剤指導書、薬袋による薬剤指導書を自動的に作成するための薬剤指導書作成システムの一例を示すものであり、主として汎用電算機９とこの汎用電算機９に接続された薬価算定用電算機からなる入力装置１０およびカラー印刷機１１により構成される。
【００２１】
更に詳しく説明すると、汎用電算機９，薬剤の外形カラー写真を含む電子化された薬剤情報を記憶しておく記憶装置（固定磁気ディスク）１２、中央処理装置（ＣＰＵ）１３ならびに主記憶装置（ＲＡＭ）１４とを有するとともに、入力回路１５にキーボード１６、ディスク装置１７、デジタルカメラやビデオカメラ或いはスキャナなどの映像取込装置１８および入力装置９がそれぞれ接続されている。
【００２２】
更に、汎用電算機１０の出力回路１９にカラー印刷機１１が接続されている。
【００２３】
このように構成された薬剤指導書作成システムを活用するには、予め薬剤の外形カラー写真を含む薬の名称、薬の作用、用法、注意事項などの電子化された薬剤情報を記憶装置（固定磁気ディスク）１２に記憶させておく。このときキーボード１６、ディスク装置１７および映像取込装置１８を用いて情報を入力してもよいが、記憶装置（固定磁気ディスク）１２に予め記憶させたデータベース用のソフトウェアを用いるとよく、記憶させる情報は多種に亙り容量が多いとともに数多くの病院や薬局において使用されることを勘案すると、予め情報を記憶させたフロツピーディスクやＣＤ−ＲＯＭなどのディスクをディスク装置１７を介して記憶装置（固定磁気ディスク）１２に記憶させる手段を採ることが好ましく、簡単且つ迅速に作業を行うことができる。
【００２４】
そして、例えば薬局において患者の処方箋の内容を薬価算定用電算機からなる入力装置９に入力すると、その出力回路（図示省略）から例えば患者の氏名、処方される薬剤名などの記憶装置（固定磁気ディスク）１２に記憶させてある薬剤情報の内で出力を要するものを選択するための入力信号が入力回路１５に入力される。
【００２５】
入力回路１５に前記選択信号が入力されると、中央処理装置１３により前記記憶装置（固定磁気ディスク）１２に記憶させてある薬剤情報の内で出力を要するものを選択して出力信号を出力回路１９に送信し、出力回路１９に接続されたカラー印刷機１１により図１に示したような薬剤指導書１が印刷される。
【００２６】
このとき、中央処理装置１３において、選択された薬剤情報の内で、薬剤名、服用方法ならびに服用時期（期間）などの服用に関する薬剤情報と予め作成してある表とを用いて服用を指示する投薬カレンダーを作成し、これらの投薬カレンダーの出力信号を出力回路１９に送信し、出力回路１９に接続されたカラー印刷機１１により図１に示した薬剤指導書１の所定位置に投薬カレンダー８が同時に印刷される。
【００２７】
尚、投薬カレンダー８の作成に際して薬歴の情報は、入力装置９または汎用電算機１０に内蔵されているタイマー回路に記憶されているものを用いる。
【００２８】
このように本薬剤指導書の作成システムによれば、入力装置９により必要な薬剤情報を入力するだけで、自動的に薬剤の服用量、服用日数、服用間隔などが計算され、図１に示したような薬剤情報ならびに投薬カレンダーが印刷された用紙２による薬剤指導書１、ラベルによる薬剤指導書、薬袋による薬剤指導書が簡単且つ迅速に作成される。
【００２９】
尚、既述した実施の形態にあっては、投与薬剤を内服薬で説明したが、投与薬剤は内服薬に限るものではなく、塗り薬や貼薬等その他の使用形態の投与薬剤にも適用されることは言うまでもない。
【００３０】
【発明の効果】
以上のように本発明は、薬剤指導書に使用時期と使用量が記入された投薬カレンダーを表記したことにより、患者自身が服用予定をたてる労や予定の誤りがなくなるうえに、薬剤の服用方法について患者の理解が不充分であっても、患者が投薬カレンダーの記入された指示に従うことにより、投与薬剤の誤用を避けることができる。
【００３１】
また、複数種類の投薬がなされて薬剤毎に隔日投与や、漸減投与、漸増投与のような複雑な服用方法となっても、投薬カレンダーには使用する複数種類の薬剤ごとに使用時期と使用量が記入されているので、患者は投薬カレンダーを見て日々の使用薬剤を誤り無く服用することができる。また、服用した日を投薬カレンダーにチェックするだけで医師に正しい服用記録を提示することができる。
【００３２】
また、本発明による薬剤指導書の作成システムによれば、入力装置に必要な薬剤情報を入力するという簡単な操作をするだけで、使用時期と使用量が記入された投薬カレンダーを表記した用紙による薬剤指導書、ラベルによる薬剤指導書、薬袋による薬剤指導書が簡単且つ迅速に作成することができる。
【図面の簡単な説明】
【図１】本発明の薬剤指導書の一例を示す平面図。
【図２】本発明の薬剤指導書の作成システムを示す概略図とそのブロック回路図である。
【符号の説明】
１  薬剤指導書，３  薬剤名，４  薬剤の外形写真，５  薬剤の服用方法，６薬剤の効能，７  薬剤についての注意，８  投薬カレンダー，８ａ  使用時期，８ｂ使用量，９  入力装置，１１  印刷機，１２  記憶装置，１３  中央処理装置，
【図１】
0004637307.tif 000002
【図２】
0004637307.tif 000003